(57)【要約】【課題】バルコニー等の屋外腰壁の外壁側の端部の上面側と外壁面との間を、乾式で施工容易に止水でき、また、外壁縦目地が屋外腰壁を通過するように備えられている場合に、その部分を乾式でしっかりとした止水状態にすることができる、バルコニー等の屋外腰壁と外壁と境界部分の乾式防水構造を提供する。【解決手段】金物３の外壁側ベース部１３と外壁面２との間に乾式の弾性止水材１５が介設され、該止水材１５が圧縮状態となるように金物３が外壁面２の側に寄せ込まれ、腰壁側ベース部１２が腰壁１に固着状態に取り付けられている。外壁縦目地５内は、弾性止水材１５の高さ位置付近において、乾式の仕切り材１６で上下に止水状態に仕切られ、仕切り材１６を挟む上側の外壁縦目地内に乾式の目地止水材１９，２０が設置されている。【選択図】      図１
2005256508.tif 000002
【特許請求の範囲】
【請求項１】
バルコニー等の屋外腰壁の外壁側の端部の上面部をカバーする腰壁側ベース部と、外壁面側に面する外壁側ベース部を備えたピース物の金物を具備し、
該金物の外壁側ベース部と外壁面との間に乾式の弾性止水材が介設され、該止水材が圧縮状態となるように外壁側ベース部が外壁面の側に寄せ込まれ、その寄せ込み状態において、腰壁側ベース部が腰壁に固着状態に取り付けられていることを特徴とする、バルコニー等の屋外腰壁と外壁と境界部分の乾式防水構造。
【請求項２】
腰壁の上面部に、金物の外壁側ベース部を外壁面側に寄せ込むためのしの孔が明けられている請求項１に記載の、バルコニー等の屋外腰壁と外壁と境界部分の乾式防水構造。
【請求項３】
外壁面材間の縦目地が前記金物を通過するように備えられており、
該縦目地内は、金物の外壁側ベース部と外壁面との間に挟み込まれた弾性止水材の高さ位置付近において、乾式の仕切り材で上下に止水状態に仕切られ、
該仕切り材を挟む上側の外壁縦目地内に乾式の目地止水材が設置され、
該目地止水材で止水された水が仕切り材による誘導で金物の上面側に排出されるようになされている請求項１又は２に記載の、バルコニー等の屋外腰壁と外壁と境界部分の乾式防水構造。
【請求項４】
前記仕切り材が弾性止水材からなり、該仕切り材は、外壁面側への金物の前記寄せ込みで圧縮され、縦目地内の空間部を挟む両面部に押付け状態となって外壁縦目地内を止水状態に仕切っている請求項３に記載の、バルコニー等の屋外腰壁と外壁と境界部分の乾式防水構造。
【請求項５】
前記仕切り材が、有底で屋外側に開口する溝形のものからなっていて、縦目地内の空間部を挟む両面部に止水状態に接着されており、前記乾式目地止水材の下端部が仕切り材の溝内に突出している請求項３に記載の、バルコニー等の屋外腰壁と外壁との境界部分の乾式防水構造。
【請求項６】
腰壁がバルコニー腰壁からなり、
外壁面材間の縦目地が前記金物を通過するように備えられており、
該縦目地内は、金物の外壁側ベース部と外壁面との間に挟み込まれた弾性止水材を挟む上下両側が連通しており、
外壁縦目地内には乾式目地止水材が設置され、
前記連通部を挟む上下に延び、バルコニー床面の防水シート上に延びる乾式の排水用ガイドが備えられ、
目地止水材の下端部が該排水用ガイド内に突出し、目地止水材で止水された水がガイドに誘導されて連通部を通じてバルコニー床面の防水シート上に排水されるようになされている請求項１又は２に記載の、バルコニー腰壁と外壁との境界部分の乾式防水構造。
【発明の詳細な説明】
【技術分野】
【０００１】
本発明は、バルコニー等の屋外腰壁と外壁との境界部分の乾式防水構造に関する。
【背景技術】
【０００２】
例えばバルコニー腰壁の外壁側の端部の上面側と、外壁面との間は、従来、バルコニー笠木と外壁面との間に湿式のコーキングを設けることによって止水されていた。
【０００３】
また、外壁面材間の縦目地が前記コーキング部を通過するように備えられている場合は、外壁面材間の縦目地を湿式のコーキングで止水すると共に、このコーキングと、バルコニー笠木側のコーキングとを湿式でジョイントさせることが行われていた。
【発明の開示】
【発明が解決しようとする課題】
【０００４】
しかしながら、バルコニー笠木と外壁面との間は細かく入り込んだところであり、湿式でコーキングの施工を行うのは非常に厄介であるという問題がある。
【０００５】
特に、上記のように、外壁面材間の縦目地がバルコニー笠木部分のコーキング部を通過するように備えられている場合には、外壁縦目地側のコーキングとバルコニー笠木側のコーキングをうまくジョイントするのにかなりの熟練を必要とする。
【０００６】
本発明は、上記のような問題点に鑑み、バルコニー等の屋外腰壁の外壁側の端部の上面側と外壁面との間を、乾式で施工容易に止水することができる、バルコニー等の屋外腰壁と外壁と境界部分の乾式防水構造を提供することを課題の一つとする。
【０００７】
また、本発明は、外壁面材間の縦目地が屋外腰壁を通過するように備えられている場合に、その部分を乾式でしっかりとした止水状態にすることができる、バルコニー等の屋外腰壁と外壁と境界部分の乾式防水構造を提供することをもう一つの課題とする。
【課題を解決するための手段】
【０００８】
上記の課題は、バルコニー等の屋外腰壁の外壁側の端部の上面部をカバーする腰壁側ベース部と、外壁面側に面する外壁側ベース部を備えたピース物の金物を具備し、
該金物の外壁側ベース部と外壁面との間に乾式の弾性止水材が介設され、該止水材が圧縮状態となるように外壁側ベース部が外壁面の側に寄せ込まれ、その寄せ込み状態において、腰壁側ベース部が腰壁に固着状態に取り付けられていることを特徴とする、バルコニー等の屋外腰壁と外壁と境界部分の乾式防水構造によって解決される。
【０００９】
この構造では、金物の外壁側ベース部と外壁面との間がそれらの間に挟み込まれて圧縮された乾式の弾性止水材で止水され、金物の腰壁側ベース部が腰壁の外壁側の端部の上面をカバーしているので、この金物と乾式の弾性止水材とで、腰壁の外壁側の端部の上面側と外壁面との間を乾式でしっかりとした止水状態にすることができる。
【００１０】
しかも、上記のようなピース物の金物を用いていることにより、乾式弾性止水材の圧縮を、外壁面側への金物の寄せ込みによって行うことができ、腰壁の外壁側の端部の上面側と外壁面との間を施工容易に止水することができる。
【００１１】
上記の構造において、腰壁の上面部に、金物の外壁側ベース部を外壁面側に寄せ込むためのしの孔が明けられているは、しのを用いて金物の外壁側ベースを外壁側にしっかりと寄せ込むことができ、しかも、その寄せ込み状態において、腰壁側ベース部を腰壁に容易に固着することができ、施工を非常に容易に行うことができる。なお、しの孔は、使用後に塞いでおくとよい。
【００１２】
また、上記の構造において、外壁面材間の縦目地が前記金物を通過するように備えられている場合は、
該縦目地内は、金物の外壁側ベース部と外壁面との間に挟み込まれた弾性止水材の高さ位置付近において、乾式の仕切り材で上下に止水状態に仕切られ、
該仕切り材を挟む上側の外壁縦目地内に乾式の目地止水材が設置され、
該目地止水材で止水された水が仕切り材による誘導で金物の上面側に排出されるようになされているとよい。
【００１３】
この構造では、目地止水材によって外壁面材間の縦目地を通じた屋内側への水の侵入を防ぐことができ、また、目地止水材で止水された水は、仕切り材による誘導で金物の上面側に排出され、目地止水材で止水された水の一部が仕切り材を越えて下方に流れていかず屋内側への水の侵入を防ぐことができ、これらの作用によって、上記の部分をしっかりとした止水状態にすることができる。しかも、目地止水材も仕切り材も乾式のものからなっているので、それを乾式にて施工容易に実現することができる。
【００１４】
前記仕切り材が弾性止水材からなり、該仕切り材は、外壁面側への金物の前記寄せ込みで圧縮され、縦目地内の空間部を挟む両面部に押付け状態となって外壁縦目地内を止水状態に仕切っているのもよい。この場合は、上記の金物を外壁面側に寄せ込むことで外壁縦目地を乾式の仕切り材で上下に止水状態にすることができるので、仕切り材の設置を施工容易に行うことができる。
【００１５】
また、前記仕切り材が、有底で屋外側に開口する溝形のものからなっていて、縦目地内の空間部を挟む両面部に止水状態に接着されており、前記乾式目地止水材の下端部が仕切り材の溝内に突出しているのもよい。この場合は、目地止水材の下端側の両側部及び背面側が仕切り材の溝を囲む周壁部で囲まれることで、仕切り材の部分において水が屋内側に侵入するのを確実に防ぐことができる。
【００１６】
また、腰壁がバルコニー腰壁からなり、外壁面材間の縦目地が前記金物を通過するように備えられている場合は、
該縦目地内は、金物の外壁側ベース部と外壁面との間に挟み込まれた弾性止水材を挟む上下両側が連通しており、
外壁縦目地内には乾式目地止水材が設置され、
前記連通部を挟む上下に延び、バルコニー床面の防水シート上に延びる乾式の排水用ガイドが備えられ、
目地止水材の下端部が該排水用ガイド内に突出し、目地止水材で止水された水がガイドに誘導されて連通部を通じてバルコニー床面の防水シート上に排水されるようになされているとよい。
【００１７】
この構造では、目地止水材によって外壁面材間の縦目地を通じた屋内側への水の侵入を防ぐことができ、また、目地止水材で止水された水は、排水用ガイドによってバルコニー床面の防水シート上に排水され、目地止水材で止水された水の一部が連通部を下って屋内側に侵入するのを防ぐことができ、これらの作用によって、上記の部分をしっかりとした止水状態にすることができる。しかも、目地止水材も排水用ガイドも乾式のものからなっているので、それを乾式にて施工容易に実現することができる。
【発明の効果】
【００１８】
本発明は、以上のとおりのものであるから、バルコニー等の屋外腰壁の外壁側の端部の上面側と外壁面との間を、乾式で施工容易に止水することができる。また、外壁面材間の縦目地が屋外腰壁を通過するように備えられている場合であっても、その部分を乾式でしっかりとした止水状態にすることができる。
【発明を実施するための最良の形態】
【００１９】
次に、本発明の実施最良形態を図面に基づいて説明する。
【００２０】
図１〜図３に示す第１実施形態の防水構造において、１は屋外腰壁としてのバルコニー腰壁、２は外壁、３は金物であり、外壁面材４，４間の縦目地５が腰壁１を通過するように備えられている。
【００２１】
腰壁１は、バルコニー側の面材６と屋外側の面材７との間に下地８，８を介してフレーム９が備えられたものからなっていて、外壁２側の端部の上面部においてフレーム９に、金物３を取り付ける取付け孔１０と、金物３を外壁面２側に寄せ込むためのしの孔１１が備えられている。
【００２２】
金物３は、ピース物からなっていて、腰壁１の外壁２側の端部の上面部をカバーする腰壁側ベース部１２と、外壁面２側に面する外壁側ベース部１３とを備えている。
【００２３】
腰壁側ベース部１２は、下向き開放のチャンネル状をしていて、腰壁１の端部上面部に外嵌め状態に嵌合することができるようになされている。なお、左右の側壁部１２ｂの内面側には、腰壁１の内外面材６，７との間の止水のためのＥＰＴ等からなるスポンジ状などをした乾式止水材１４，１４が取り付けられている。また、腰壁側ベース部１２の上面部１２ａには、腰壁１側の取付け孔１０に対応する取付け孔１０が備えられている。
【００２４】
外壁側ベース部１３は、腰壁側ベース部１２の端部において、その上壁部１２ａと左右の側壁部１２ｂ，１２ｂから上方及び左右に張り出す板状門形をしていて、外壁面２と対向する側の面部には、ブチル系ゴムなどからなる乾式の弾性止水材１５が全面わたるようにして備えられている。また、その部分には、外壁縦目地５内を上下に止水状態に仕切る同じくブチル系ゴムなど弾性止水材からなる乾式の仕切り材１６が、前記弾性止水材１５よりも前方に突出し、上面部１６ａを基端側に向けて斜め下方に傾斜させるようにして備えられている。なお、仕切り材１６と弾性止水材１５とは、一体成形品からなっていてもよいし、別体品の組み合わせで外壁側ベース部１３に備えられていてもよい。
【００２５】
上記の金物３は、図３（イ）（ロ）に示すように、外壁側ベース部１３を外壁面２側に向け、腰壁側ベース部１２を、腰壁１の端部の上面部に外嵌め状態に嵌合した状態で、外壁面２の側に寄せていき、仕切り材１６を外壁縦目地５内に挿入すると共に、外壁側ベース部１３の弾性止水材１５を外壁面２に押し当て、しの孔１１に図示しないしのを刺し込み、テコの原理で、金物３を外壁面２側にしっかりと寄せ込み、金物３側の取付け孔１０と、腰壁１側の取付け孔１０とを一致させ、その状態で、図３（ハ）に示すように、ボルト１７を通し、金物３を腰壁１のフレーム９に固定する。
【００２６】
これにより、金物３の外壁側ベース部１３と外壁面２との間の弾性止水材１５が圧縮状態となって、金物３の外壁側ベース部１３と外壁面２との間が該弾性止水材１５で止水状態となり、また、金物３の腰壁側ベース部１２が腰壁１の外壁側の端部の上面をカバーし、それらによって、この金物３と乾式の弾性止水材１５とで、腰壁１の外壁側の端部の上面側と外壁面２との間が乾式でしっかりとした止水状態になる。
【００２７】
また、弾性止水材からなる仕切り材１６も、金物３の寄せ込みによって、その先端部が背後の建物構造部分である柱１８に当接して圧縮され、側方に膨出して、外壁縦目地５内の空間部を挟む両面部に押し当て状態となって密着し、外壁縦目地５内が、金物３の外壁側ベース部１３と外壁面２との間に挟み込まれた弾性止水材１５の高さ位置付近において、上下に止水状態に仕切られている。
【００２８】
そして、該仕切り材１６を挟む上側の外壁縦目地内に一次及び二次の乾式目地止水材１９，２０が設置され、二次目地止水材２０の下端部は仕切り材１６の上面傾斜部１６ａに支持されて屋外側に向けられ、一次、二次の乾式目地止水材１９，２０で止水された水は、仕切り材１６による間接的な誘導で金物３の上面側に排出され、屋内側への水の侵入が防止される。
【００２９】
このように、上記の実施形態によれば、バルコニー腰壁１の外壁側の端部の上面側と外壁面２との間を、金物３と弾性止水材１５とによって乾式で施工容易に止水することができ、また、外壁面材４，４間の縦目地５が腰壁１を通過するように備えられているが、その部分を乾式でしっかりとした止水状態にすることができる。
【００３０】
図４〜図６に示す第２実施形態の構造は、図４等に示すように、仕切り材１６が、有底で屋外側に開口する溝形をし、エプロン部１６ｂも備えられたブチルシート等の成形体からなっている。
【００３１】
この仕切り材１６は、図６（イ）（ロ）に示すように、金物３の取付けを行う前に、エプロン部１６ｂを除く本体部分が外壁縦目地５内に設置され、外壁縦目地５内の空間部を挟む両面部に止水状態に接着され、また、本実施形態では、外壁縦目地５の奥方の構造部分である柱１８にも止水状態に接着され、更に、エプロン部１６ｂも縦目地５を挟む両外壁面材４，４に止水状態に接着されている。
【００３２】
そして、図６（ハ）に示すように、仕切り材の省略された金物３の寄せ込みを行い、外壁側ベース部１３と外壁面２との間に弾性止水材１５と仕切り材１６のエプロン部１６ｂとを挟み込みこんで圧縮し、仕切り材１６と金物３とを止水上連続させた状態にして、金物３をボルト１７で固定する。その後、一次、二次の乾式目地止水材１９，２０が、図５（ロ）に示すように、それらの下端部を仕切り材１６の溝内に突出させるようにして外壁縦目地５内に設置されている。その他は第１実施形態と同様である。
【００３３】
この構造では、特に、目地止水材１９，２０の下端側の両側部及び背面側が仕切り材１６の溝を囲む周壁部で囲まれることで、仕切り材１６の部分において水が屋内側に侵入するのを確実に防ぐことができる。
【００３４】
図７〜図１０に示す第３実施形態の構造は、外壁縦目地５内が、金物３の外壁側ベース部１３と外壁面２との間に挟み込まれた弾性止水材１５を挟む上下両側が仕切り材で仕切られることなく連通している。そして、上記の連通部を挟む上下に延びるように、乾式の排水用ガイド２１が備えられている。
【００３５】
該排水用ガイド２１は、ポリプロピレンシートの成形体などからなり、金物３を挟む上側部分２１ａは、屋外側及びバルコニー側に開放された断面Ｌ形をしており、下側部分２１ｂは、縦目地５から屋外側に突出するサイズを備えていてバルコニー側にのみ開放された溝形をしており、下側部分２１ｂは、図８及び図１０に示すように、バルコニー床面の防水シート２２の立ち上がり部２２ａの内面側に突出している。
【００３６】
この排水用ガイド２１は、全長にわたって、外壁縦目地５内の空間部を挟む屋外側の面部にブチルテープなどで止水状態に接着されると共に、同ガイド２１の下側部分２１ｂは、その全長にわたって、腰壁１の端面部にブチルテープなどで止水状態に接着されている。
【００３７】
そして、外壁縦目地５内には一次、二次の乾式目地止水材１９，２０が設置され、二次目地止水材２０は、その下端側が排水用ガイド２１の下側部分２１ｂの内部に突出し、二次目地止水材２０で止水された水が排水用ガイド２１に誘導されて連通部を通じてバルコニー床面の防水シート２２上に排水されるようになされている。その他は、上記の第１、第２実施形態と概ね同様である。
【００３８】
この構造では、一次、二次の目地止水材１９，２０によって外壁面材４，４間の縦目地５を通じた屋内側への水の侵入を防ぐことができ、また、二次目地止水材２０で止水された水は、排水用ガイド２１によってバルコニー床面の防水シート２２上に排水され、二次目地止水材２０で止水された水の一部が連通部を下って屋内側に侵入するのを防ぐことができ、これらの止水作用によって、外壁縦目地５と腰壁１の上端部との領域部分をしっかりとした止水状態にすることができる。しかも、目地止水材１９，２０も排水用ガイド２１も乾式のものからなっているので、それを乾式にて施工容易に実現することができる。
【００３９】
なお、図９に示すように、腰壁１のバルコニー側の側面部と、外壁面２との間の縦目地部にも、一次、二次の乾式目地止水材２４，２５が、上記の排水用ガイド２１の下側部分２１ｂを背面側からの支えとして設置され、これら目地止水材２４，２５で止水された水や、これら目地止水材２４，２５を越えて背面側に侵入して排水用ガイド２１の下側部分２１ｂに受けられた水が防水シート２２上に排水されるようになされている。
【００４０】
以上に、本発明の実施形態を示したが、本発明はこれに限られるものではなく、発明思想を逸脱しない範囲で各種の変更が可能である。例えば、上記の第１，第２実施形態では、屋外腰壁がバルコニーの腰壁である場合を示しているが、屋外に備えられるその他の腰壁であってもよい。また、上記の各実施形態では、外壁縦目地が腰壁を通過するように備えられている場合を示したが、本発明は、外壁縦目地が通過しない腰壁に用いられてもよい。また、上記の各実施形態では、金物３の寄せ込みのために、しの孔１１を備えさせた場合を示しているが、しの孔１１は省略されてもよい。また、仕切り材の形態に制限はないし、外壁縦目地５への取付け構造に関しても制限はない。また、排水用ガイド２１の具体的形態についても制限はない。
【図面の簡単な説明】
【００４１】
【図１】第１実施形態の乾式防水構造を示す分解斜視図である。
【図２】図（イ）は同断面平面図、図（ロ）は同断面側面部である。
【図３】図（イ）〜図（ハ）は、止水の施工方法を順次に示す断面平面図である。
【図４】第２実施形態の乾式防水構造を示す分解斜視図である。
【図５】図（イ）は同断面平面図、図（ロ）は同断面側面部である。
【図６】図（イ）〜図（ハ）は、止水の施工方法を順次に示す断面平面図である。
【図７】第３実施形態の乾式防水構造を示す分解斜視図である。
【図８】乾式目地止水材とガイドと防水シートとの関係を示す斜視図である。
【図９】同乾式防水構造の断面平面図である。
【図１０】図９のＩ−Ｉ線断面図である。
【符号の説明】
【００４２】
１…バルコニー腰壁（屋外腰壁）
２…外壁面
３…金物
５…外壁縦目地
１１…しの孔
１２…腰壁側ベース部
１３…外壁側ベース部
１５…乾式弾性止水材
１６…仕切り材
１９，２０…乾式目地止水材
２１…排水用ガイド
２２…防水シート
【図１】
2005256508.tif 000003
【図２】
2005256508.tif 000004
【図３】
2005256508.tif 000005
【図４】
2005256508.tif 000006
【図５】
2005256508.tif 000007
【図６】
2005256508.tif 000008
【図７】
2005256508.tif 000009
【図８】
2005256508.tif 000010
【図９】
2005256508.tif 000011
【図１０】
2005256508.tif 000012